(57)【要約】【課題】本発明は、歯科医師等の視界のチラツキ、かすみ、眼精疲労による視力低下等を防止することができる好適な照明環境を現出することができるとともに、光照射器を使用する前のコンポジットレジンの不測の硬化を防止することもできるＬＥＤを使用した歯科用照明器を提供する。【解決手段】本発明は、光源であるＬＥＤ（白色ＬＥＤ）１８と、ＬＥＤ１８からのＬＥＤ光を所定の照射パターンとするスリット２０を有するスリット板１９と、スリット板１９のスリット２０を通過したＬＥＤ光を反射する反射面２ａを有する反射板２と、この反射板２の前面を覆うように配置した前面フード４とを有し、前面フード４から射出するＬＥＤ光により口腔内を照明するＬＥＤを使用した歯科用照明器１であって、前記ＬＥＤ１８から前面フード４を透過するまでのＬＥＤ光の光路の一部に、このＬＥＤ光の波長域のうち青色波長域の光の透過率を減じる青色光減衰部材（例えば青色光減衰フィルター４１）を配置したものである。【選択図】図４
2015035372.tif 000002
【特許請求の範囲】
【請求項１】
光源である白色ＬＥＤと、前記白色ＬＥＤからのＬＥＤ光を反射する反射面を有する反射板と、を有し、前記反射面で反射したＬＥＤ光により口腔内を照明するＬＥＤを使用した歯科用照明器であって、
前記白色ＬＥＤから反射板の反射面で反射するまでのＬＥＤ光の光路の一部に、このＬＥＤ光の波長域のうち青色波長域の光の透過率を減じる青色光減衰部材を配置したことを特徴とするＬＥＤを使用した歯科用照明器。
【請求項２】
光源である白色ＬＥＤと、前記白色ＬＥＤからのＬＥＤ光を反射する反射面を有する反射板と、この反射板の前面を覆うように配置した前記反射板の反射面で反射したＬＥＤ光が透過可能な前面フードと、を有し、前面フードから射出するＬＥＤ光により口腔内を照明するＬＥＤを使用した歯科用照明器であって、
前記白色ＬＥＤから前面フードを透過するまでのＬＥＤ光の光路の一部に、このＬＥＤ光の波長域のうち青色波長域の光の透過率を減じる青色光減衰部材を配置したことを特徴とするＬＥＤを使用した歯科用照明器。
【請求項３】
光源である白色ＬＥＤと、前記白色ＬＥＤからのＬＥＤ光を所定の照射パターンとするスリットを有するスリット板と、前記スリット板のスリットを通過したＬＥＤ光を反射する反射面を有する反射板と、を有し、前記反射面で反射したＬＥＤ光により口腔内を照明するＬＥＤを使用した歯科用照明器であって、
前記白色ＬＥＤから反射板の反射面で反射するまでのＬＥＤ光の光路の一部に、このＬＥＤ光の波長域のうち青色波長域の光の透過率を減じる青色光減衰部材を配置したことを特徴とするＬＥＤを使用した歯科用照明器。
【請求項４】
光源である白色ＬＥＤと、前記白色ＬＥＤからのＬＥＤ光を所定の照射パターンとするスリットを有するスリット板と、前記スリット板のスリットを通過したＬＥＤ光を反射する反射面を有する反射板と、この反射板の前面を覆うように配置した前記反射板の反射面で反射したＬＥＤ光が透過可能な前面フードと、を有し、前面フードから射出するＬＥＤ光により口腔内を照明するＬＥＤを使用した歯科用照明器であって、
前記白色ＬＥＤから前面フードを透過するまでのＬＥＤ光の光路の一部に、このＬＥＤ光の波長域のうち青色波長域の光の透過率を減じる青色光減衰部材を配置したことを特徴とするＬＥＤを使用した歯科用照明器。
【請求項５】
前記スリット板のスリットの位置に、青色波長域の光の透過率を減じる青色光減衰部材である青色光減衰フィルターを配置したことを特徴とする請求項３又は４記載のＬＥＤを使用した歯科用照明器。
【請求項６】
前記反射板の反射面に、青色波長域の光の透過率を減じる青色光減衰部材である青色光減衰膜又は青色光減衰フィルムを設けたことを特徴とする請求項１乃至４のいずれかに記載のＬＥＤを使用した歯科用照明器。
【請求項７】
前記前面フードの前記反射板の反射面と対向する面又は外面に、青色波長域の光の透過率を減じる青色光減衰部材である青色光減衰膜又は青色光減衰フィルムを設けたことを特徴とするＬＥＤを使用した請求項２又は４記載の歯科用照明器。
【請求項８】
前記青色波長域は、主に４５５±２０ｎｍであることを特徴とする請求項１乃至７のいずれかに記載のＬＥＤを使用した歯科用照明器。
【発明の詳細な説明】
【技術分野】
【０００１】
本発明は、ＬＥＤを使用した歯科用照明器に関するものである。
【背景技術】
【０００２】
通常歯科治療に用いられる無影灯のような歯科用照明器の光源には、主に小型で明るいハロゲンランプが用いられている。
【０００３】
このような歯科用照明器の場合、ハロゲンランプからの直射光線が、患者や術者の目に入らないように前面に遮光カバーを設け、後方に出る光線をリフレクター(反射鏡)に反射させる。
【０００４】
リフレクターは、コールドミラーとも言われ、集光や無影効果を計算した特殊な放物線曲面と波状曲線の組み合わせで可視光線の約９０％を反射する。
【０００５】
また、自然光に近づけ、放射熱を除くためのリフレクターの表面又は裏面には、赤外線を透過若しくは吸収するコーティングが施してある。
【０００６】
しかし、歯科用照明器の光源としてハロゲンランプを使用した場合、任意の色温度にするためのコーティングはコーティング膜を多層膜により形成する必要があり、このため歯科用照明器全体として高価なものになっていた。
【０００７】
すなわち、ハロゲンランプを使用した歯科用照明器の場合、硬質ガラスを基体として、ランプ側の対向表面にチタン（Ｔｉ）やシリカ（ＳｉＯ２）等の多層膜(通常１５層程度の薄膜で構成される)を被覆する必要があった。
【０００８】
このような問題点を解決するために、本願出願人は先にハロゲンランプに換えてＬＥＤを用いた無影灯を提案している（特願２０１２−１９６７９３号）。
【０００９】
この提案の場合、所望の色温度を設定した白色ＬＥＤ光を使用する構成としているので、リフレクターの反射面を安価な単層膜構造或いは数層の多層膜構造にすることができる。
【００１０】
しかし、白色ＬＥＤは、青のＬＥＤに黄色の蛍光塗料にて光を白くしているため、その分光特性では、図１７に示すように、４５５nm近辺の波長域に強い発光スペクトルを有している。
【００１１】
尚、図１７はシチズン電子（株）製：白色ＬＥＤの発光スペクトル特性を示すものである。
【００１２】
また、本願出願人が作製したハロゲンランプとＬＥＤを使用した無影灯の分光放射照度特性では、図１８に示すように、ハロゲンランプは波長域全体に渡ってなだらかに照度が変化しているのに対して、白色ＬＥＤを使用した無影灯では４５５ｎｍをピークとした分校放射照度の上昇が確認された。
【００１３】
尚、図１８は、ハロゲンランプ、ＬＥＤの分光放射照度特性であり、ＴＮ２９はハロゲンランプ、ＴＮ４６はＬＥＤを示している（添数字は照度（ｌｘ）を示している。この図１８に示すグラフは、後述する図１４に示すようなＴＮ２９（ハロゲンランプ）３種、及び、ＴＮ４６（ＬＥＤ）３種の各測定データを基に作成したグラフである。
【００１４】
ハロゲンランプの場合、特定波長に限定されることなく様々な波長が重なり合って自然光を発するが、白色ＬＥＤ光源では青色近辺の照度が高く、使用する歯科医師等の目が疲れるという問題があった。
【００１５】
すなわち、青色光は、ギラツキの原因となる光線であり、視界のチラツキ、かすみ、眼精疲労を引き起したり視力を低下させることが知られている。
【００１６】
また、歯牙にコンポジットレジン充填する際に、無影灯から照射される４５５nm近辺の光によって、レジンを硬化させるための光照射器を使用する前に、無影灯の光によって硬化してしまうという好ましくない問題もあった。
【００１７】
ここに、コンポジットレジンとは、歯牙欠損の修復に際して、有機複合材料として歯冠色に近似したコンポジットレジンで欠損部を補うものである。この場合、歯牙欠損部にコンポジットレジンを充填して有効波長(４５０−５２０ｎｍ)の光を放射する光照射器を使って硬化させることが通常行われている。
【００１８】
特許文献１には、本願発明に関連する技術として、口腔内を照明可能な歯科用照明装置であって、光源である白色ＬＥＤと、前記白色ＬＥＤからの出射光を反射して外部に出光可能に設けられた反射板と、前記白色ＬＥＤからの前記出射光のうち所定の波長（青色光波長）の光を減じ他の波長の光を透過するフィルターと、このフィルターを前記白色ＬＥＤと前記反射板との間に挿入、及び脱出させる切替機構とを備える歯科用照明装置が提案されている。
【００１９】
しかし、この歯科用照明装置の場合、前記フィルターを白色ＬＥＤと反射板との間に挿入、及び脱出させる構成であり、特に前記フィルターを白色ＬＥＤと反射板との間から脱出させた場合には、青色光波長の光も歯科用照明装置から射出することから、視界のチラツキ、眼精疲労等の要因を含んでいるとともに、フィルター自体の具体的構成も必ずしも明確ではない。
【先行技術文献】
【特許文献】
【００２０】
【特許文献１】特開２０１０−３３７４３号公報
【発明の概要】
【発明が解決しようとする課題】
【００２１】
本発明が解決しようとする問題点は、歯科医師等の視界のチラツキ、かすみ、眼精疲労による視力低下等を防止することができる好適な照明環境を現出することができるとともに、光照射器を使用する前のコンポジットレジンの不測の硬化を防止することもできるようなＬＥＤを使用した歯科用照明器が存在しない点である。
【課題を解決するための手段】
【００２２】
本発明に係るＬＥＤを使用した歯科用照明器は、光源である白色ＬＥＤと、前記白色ＬＥＤからのＬＥＤ光を反射する反射面を有する反射板と、を有し、前記反射面で反射したＬＥＤ光により口腔内を照明するＬＥＤを使用した歯科用照明器であって、前記白色ＬＥＤから反射板の反射面で反射するまでのＬＥＤ光の光路の一部に、このＬＥＤ光の波長域のうち青色波長域の光の透過率を減じる青色光減衰部材を配置したことを最も主要な特徴とする。
【発明の効果】
【００２３】
請求項１記載の発明によれば、光源である白色ＬＥＤと、前記白色ＬＥＤからのＬＥＤ光を反射する反射面を有する反射板と、を有し、前記白色ＬＥＤから反射板の反射面で反射するまでのＬＥＤ光の光路の一部に、このＬＥＤ光の波長域のうち青色波長域の光の透過率を減じる青色光減衰部材を配置したことにより、ＬＥＤ光の波長域のうち青色波長域の光が減衰した状態で口腔内等に照射されることになり、これにより、歯科医師等の視界のチラツキ、かすみ、眼精疲労による視力低下等を防止することができる好適な照明環境を現出することができるとともに、光照射器を使用する前のコンポジットレジンの不測の硬化を防止することもできるＬＥＤを使用した歯科用照明器を提供することができる。
【００２４】
請求項２記載の発明によれば、光源である白色ＬＥＤと、前記白色ＬＥＤからのＬＥＤ光を反射する反射面を有する反射板と、この反射板の前面を覆うように配置した前記反射板の反射面で反射したＬＥＤ光が透過可能な前面フードと、を有し、前記白色ＬＥＤから前面フードを透過するまでのＬＥＤ光の光路の一部に、このＬＥＤ光の波長域のうち青色波長域の光の透過率を減じる青色光減衰部材を配置したことにより、ＬＥＤ光の波長域のうち青色波長域の光が減衰した状態で口腔内等に照射されることになり、これにより、歯科医師等の視界のチラツキ、かすみ、眼精疲労による視力低下等を防止することができる好適な照明環境を現出することができるとともに、光照射器を使用する前のコンポジットレジンの不測の硬化を防止することもできるＬＥＤを使用した歯科用照明器を提供することができる。
【００２５】
請求項３記載の発明によれば、光源である白色ＬＥＤと、前記白色ＬＥＤからのＬＥＤ光を所定の照射パターンとするスリットを有するスリット板と、前記スリット板のスリットを通過したＬＥＤ光を反射する反射面を有する反射板と、を有し、前記白色ＬＥＤから反射板の反射面で反射するまでのＬＥＤ光の光路の一部に、このＬＥＤ光の波長域のうち青色波長域の光の透過率を減じる青色光減衰部材を配置したことにより、ＬＥＤ光の波長域のうち青色波長域の光が減衰した状態で口腔内等に照射されることになり、これにより、歯科医師等の視界のチラツキ、かすみ、眼精疲労による視力低下等を防止することができる好適な照明環境を現出することができるとともに、光照射器を使用する前のコンポジットレジンの不測の硬化を防止することもできるＬＥＤを使用した歯科用照明器を提供することができる。
【００２６】
請求項４記載の発明によれば、光源である白色ＬＥＤと、前記白色ＬＥＤからのＬＥＤ光を所定の照射パターンとするスリットを有するスリット板と、前記スリット板のスリットを通過したＬＥＤ光を反射する反射面を有する反射板と、この反射板の前面を覆うように配置した前記反射板の反射面で反射したＬＥＤ光が透過可能な前面フードと、を有し、前記白色ＬＥＤから前面フードを透過するまでのＬＥＤ光の光路の一部に、このＬＥＤ光の波長域のうち青色波長域の光の透過率を減じる青色光減衰部材を配置したことにより、請求項１記載の発明と同様、ＬＥＤ光の波長域のうち青色波長域の光が減衰した状態で口腔内等に照射されることになり、これにより、歯科医師等の視界のチラツキ、かすみ、眼精疲労による視力低下等を防止することができる好適な照明環境を現出することができるとともに、光照射器を使用する前のコンポジットレジンの不測の硬化を防止することもできるＬＥＤを使用した歯科用照明器を提供することができる。
【００２７】
請求項５記載の発明によれば、請求項３又は４記載のＬＥＤを使用した歯科用照明器において、スリット板のスリットの位置に、青色波長域の光の透過率を減じる青色光減衰部材である青色光減衰フィルターを配置した構成の基に、上述した場合と同様、ＬＥＤ光の波長域のうち青色波長域の光が減衰した状態で口腔内等に照射されることになり、これにより、歯科医師等の視界のチラツキ、かすみ、眼精疲労による視力低下等を防止することができる好適な照明環境を現出することができるとともに、光照射器を使用する前のコンポジットレジンの不測の硬化を防止することもできるＬＥＤを使用した歯科用照明器を提供することができる。
【００２８】
請求項６記載の発明によれば、請求項１乃至４のいずれかに記載のＬＥＤを使用した歯科用照明器において、反射板の反射面に、青色波長域の光の透過率を減じる青色光減衰部材である青色光減衰膜又は青色光減衰フィルムを設けた構成の基に、上述した場合と同様、ＬＥＤ光の波長域のうち青色波長域の光が減衰した状態で口腔内等に照射されることになり、これにより、歯科医師等の視界のチラツキ、かすみ、眼精疲労による視力低下等を防止することができる好適な照明環境を現出することができるとともに、光照射器を使用する前のコンポジットレジンの不測の硬化を防止することもできるＬＥＤを使用した歯科用照明器を提供することができる。
【００２９】
請求項７記載の発明によれば、請求項２又は４記載のＬＥＤを使用した歯科用照明器において、前面フードの反射板の反射面と対向する面又は外面に、青色波長域の光の透過率を減じる青色光減衰部材である青色光減衰膜又は青色光減衰フィルムを設けた構成の基に、上述した場合と同様、ＬＥＤ光の波長域のうち青色波長域の光が減衰した状態で口腔内等に照射されることになり、これにより、歯科医師等の視界のチラツキ、かすみ、眼精疲労による視力低下等を防止することができる好適な照明環境を現出することができるとともに、光照射器を使用する前のコンポジットレジンの不測の硬化を防止することもできるＬＥＤを使用した歯科用照明器を提供することができる。
【００３０】
請求項８記載の発明によれば、請求項１乃至７のいずれかに記載のＬＥＤを使用した歯科用照明器において、青色光減衰部材により光の透過率を減じる青色波長域を、主に４５５±２０ｎｍとした構成の基に、上述した場合と同様、ＬＥＤ光の波長域のうち主に４５５±２０ｎｍの範囲の青色波長域の光が減衰した状態で口腔内等に照射されることになり、これにより、上述した場合と同様、歯科医師等の視界のチラツキ、かすみ、眼精疲労による視力低下等を防止することができる好適な照明環境を現出することができるとともに、光照射器を使用する前のコンポジットレジンの不測の硬化を防止することもできるＬＥＤを使用した歯科用照明器を提供することができる。
【図面の簡単な説明】
【００３１】
【図１】図１は本実施例の歯科用照明器を配置した歯科用照明器を含む歯科用ユニットの全体構成を示す正面図である。
【図２】図２は本実施例の歯科用照明器を配置した歯科用照明器を含む歯科用ユニットの全体構成を示す側面図である。
【図３】図３は本実施例の歯科用照明器の概略拡大斜視図である。
【図４】図４は本実施例の歯科用照明器の前面フードを除去した状態の概略拡大斜視図である。
【図５】図５は本実施例の歯科用照明器におけるＬＥＤ支持ユニット、装着筒体部を示す概略斜視図である。
【図６】図6は本実施例の歯科用照明器の概略分解斜視図である。
【図７】図７は本実施例の歯科用照明器の図６とは異なる方向から見た概略分解斜視図である。
【図８】図８は本実施例の歯科用照明器のＬＥＤ支持ユニット、装着筒体部及び反射板の概略分解斜視図である。
【図９】図９は本実施例の歯科用照明器における青色光減衰フィルターを示す概略斜視図である。
【図１０】図１０は本実施例の歯科用照明器における青色光減衰フィルムを示す概略斜視図である。
【図１１】図１１は本実施例の歯科用照明器における青色光減衰フィルターのフィリタリング特性を示す概略説明図である。
【図１２】図１２は本実施例の歯科用照明器における反射板に設けた青色光減衰膜を示す概略断面図である。
【図１３】図１３は本実施例の歯科用照明器における前面フードに設けた青色光減衰膜を示す概略部分切欠断面図である。
【図１４】図１４はハロゲンランプ、ＬＥＤに関して３種の測定照度別でかつ各波長ごとの分光放射照度の測定データ等を示す図である。
【図１５】図１５はハロゲンランプ、ＬＥＤに関して図１４に示す３種の測定照度と、図１５に示す分光放射照度に基づいて作成した一次関数のグラフを示す図である。
【図１６】図１６は図１５に示すグラフから特定の照度に対応する分光放射照度を求め、又は、特定の分光放射照度から対応する照度を求めるための表である。
【図１７】図１７は白色ＬＥＤの発光スペクトルを示すグラフである。
【図１８】図１８はハロゲンランプ、白色ＬＥＤの分光放射照度特性を示すグラフである。
【発明を実施するための形態】
【００３２】
本発明は、歯科医師等の視界のチラツキ、かすみ、眼精疲労による視力低下等を防止することができる好適な照明環境を現出することができるとともに、光照射器を使用する前のコンポジットレジンの不測の硬化を防止することもできるＬＥＤを使用した歯科用照明器を提供するという目的を、光源である白色ＬＥＤと、前記白色ＬＥＤからのＬＥＤ光を反射する反射面を有する反射板と、この反射板の前面を覆うように配置した前記反射板の反射面で反射したＬＥＤ光が透過可能な前面フードと、を有し、前面フードから射出するＬＥＤ光により口腔内を照明するＬＥＤを使用した歯科用照明器であって、前記白色ＬＥＤから前面フードを透過するまでのＬＥＤ光の光路の一部に、このＬＥＤ光の波長域のうち青色波長域の光の透過率を減じる青色光減衰部材を配置した構成により実現した。
【実施例】
【００３３】
以下に、本発明の実施例に係るＬＥＤを使用した歯科用照明器について、図１乃至図１３を参照して詳細に説明する。
【００３４】
最初に、本実施例１の歯科用照明器１を含む歯科用ユニット５１について説明する。
【００３５】
前記歯科用ユニット５１は、図１、図２に示すように、患者Ｍ用の油圧式前折れタイプのチェア５２と、このチェア５２と一体のスピットン部５３及び前面フード４付きの歯科用照明器１を支持する歯科用照明器支持部５４とを有している。
【００３６】
前記チェア５２は、ユニットベース６１上に昇降駆動されるチェア台６２を配置し、チェア台６２にシート６３を取り付け、更に背板６４、枕（ヘッドレスト）６５及びフットレスト６６を取り付けて構成している。
【００３７】
前記歯科用照明器１は、チェアマウントタイプに構成している。
【００３８】
即ち、歯科用照明器支持部５４の上端からポール７０を垂直上方に立設し、ポール７０の上端に４個の第１乃至第４アーム７１、７２、７３、７４を順に取り付け、さらに第４アーム７４に歯科用照明器１を回動可能に支持する回動支持具７５を取り付けて構成している。
【００３９】
前記ポール７０の近傍には、取り付け具５５を用いて患者画像等を表示する画像モニタ５６を配置している。
【００４０】
また、歯科用照明器１の外周部には、手をかざすことでこの歯科用照明器１を点灯又は消灯させる光センサ７を取り付けている。また、歯科用照明器１は、移動操作用の取っ手８、止めネジ９を備えている。
【００４１】
前記チェア５２には、図示していないが、背板６４の角度を認識する背板角度認識センサ、チェア台６２の昇降位置を認識する昇降認識センサ、枕６５の高さ、角度を認識する高さ認識センサ、角度認識センサが組み込まれている。
【００４２】
前記背板角度認識センサは、チェア台６２内の寝起用油圧シリンダの近傍に、昇降認識センサはチェア台６２内の昇降用油圧シリンダー近傍に、枕６５の高さ認識センサは前記背板６４内に、枕６５の角度認識センサはこの枕６５の傾倒機構部（関節）に各々組み込まれている。
【００４３】
前記ポール７０、第１乃至第４アーム７１、７２、７３、７４の連結部分及び第４アーム７４と回動支持具７５との連結部分には、各々アクチュエータを用いた特定の方向に回動する関節部８１、８２、８３、８４’８４を設けている。
【００４４】
さらに、歯科用照明器１を支持する回動支持具７５には、アクチュエータ駆動により回転を行うための回転軸を備えている。
【００４５】
前記歯科用照明器１の外観を図３に拡大して示す。
【００４６】
次に、前記歯科用照明器１の具体的構成について、図４乃至図８を参照して詳述する。
前記歯科用照明器１は、図６、図７等に示すように、放物面状（放射線曲面と波状曲線の組み合わせを考慮したもの）の反射面２ａを有するとともに、前記反射面２ａの中央部（最深部）を後方に貫くように装着受筒部３を設けた反射板（コールドミラー）２と、この反射板２の装着受筒部３に着脱可能に装着されるＬＥＤ（Ｌｉｇｈｔ  Ｅｍｉｔｔｉｎｇ  Ｄｉｏｄｅ）支持ユニット１１とを有している。
【００４７】
前記反射板２の反射面２ａには、例えばアルミニューム又は銀等の金属蒸着による反射膜２ｂのコーティングを施している。
【００４８】
また、前記反射板２の前面には、ＬＥＤ光が透過可能な材質により形成した放物面状を呈する前面フード４を着脱可能に配置している。
【００４９】
前記ＬＥＤ支持ユニット１１は、一面に平坦なＬＥＤ取付面１５を有するとともに、他面に外形を略円柱状とした放熱部（放熱フィン）３０を固定した円板状の取付基部１３、及び、この取付基部１３の外周部から一面側上方に突設した一対の取付片１４、１４を具備する熱伝導率の高いアルミニューム、銅等を素材とするＬＥＤ取付部材１２と、表面実装型のＬＥＤ（例えば、一般照明用白色パワーＬＥＤ）１８を基板（基台）１７（パッケージヒートシンク部）に配置し、前記ＬＥＤ取付面１５に密接固定されるＬＥＤモジュール１６と、ＬＥＤ光通過用の任意形状のスリット２０を備え、前記ＬＥＤモジュール１６を覆う状態でＬＥＤ取付部材１２のＬＥＤ取付面１５に固着される熱伝導率の高いアルミニューム、銅等を素材とするスリット板１９と、前記ＬＥＤ取付部材１２における一対の取付片１４、１４の突出端側がねじ止め固定されるとともに前記反射板２の装着受筒部３に着脱可能に装着される角筒体２３及びこの角筒体２３と一体の円筒体２４を連設した装着筒体部２２と、を有している。
【００５０】
尚、前記ＬＥＤ取付部材１２における取付片１４としては、一対（２個）構造に限定されるものではなく、取付基部１３の外周部から一面側上方に３個、４個、６個等さらに多数の取付片１４を突設し、これらを角筒体２３にねじ止め固定する構造とすることも可能である。
【００５１】
前記ＬＥＤモジュール１６としては、詳細は後述するが、ＲＧＢタイプのＬＥＤモジュール、銭形ＬＥＤモジュール（シャープ（株）：ＧＷ６ＴＧＣＢＧ４ＦＤ）、又は、演色性の異なるＬＥＤモジュール等を使用する。
【００５２】
前記スリット板１９の裏面側には、図６に示すように、前記ＬＥＤモジュール１６が収納できる凹部２１を例えば座ぐりにより形成している。また、前記スリット板１９は、熱伝導率の高い例えばアルミニューム、銅等で製作している。
【００５３】
ここで、前記ＬＥＤ支持ユニット１１の具体的構造及びＬＥＤ支持ユニット１１の反射板２に対する取り付け構造について図６乃至図８を参照して説明する。
【００５４】
前記放熱部３０を固定したＬＥＤ取付部材１２の取付基部１３には、前記ＬＥＤモジュール１６を取り付けるための２個のビス孔１３ａ、１３ａと、前記スリット板１９を取り付けるための２個のビス孔１３ｂ、１３ｂとが設けられている。
【００５５】
まず、前記ＬＥＤ取付面１５に対して前記ＬＥＤモジュール１６を密接させ、基板１７の外周部に対角配置に設けた２個の凹部１７ａ、１７ａの部分から２個のビス２５を用いてＬＥＤ取付面１５の対応する２個のビス孔１３ａ、１３ａに前記各ビス２５をねじ込み、前記ＬＥＤモジュール１６をＬＥＤ取付面１５に密接固定する。
【００５６】
次に、前記スリット板１９によりＬＥＤモジュール１６を覆うようにしてこのスリット板１９に対角配置に設けた２個のビス挿通孔１９ａ、１９ａに２個のビス２６を挿入し、ＬＥＤ取付面１５に設けたスリット板１９用の２個のビス孔１３ｂ、１３ｂに前記２個のビス２６をねじ込み、前記スリット板１９をＬＥＤ取付面１５に固着する。
【００５７】
前記スリット板１９に設けられた他の２つの孔１９ｂ、１９ｂは、前記ＬＥＤモジュール１６を取り付けたときに使用したビス２５のビス頭を逃がす（収容する）ためのものである。
【００５８】
次に、前記ＬＥＤ取付部材１２の一対の取付片１４、１４を前記装着筒体部２２に取り付ける。
【００５９】
すなわち、ＬＥＤ取付部材１２の一対の取付片１４、１４の突出端側に設けた取付孔１４ａに各々２本のビス２７を挿通し、
【００６０】
さらに２本のビス２７を、図８に示すように、前記装着筒体部２２を構成する角筒体２３の両サイドに開けられたビス孔にねじ込むことにより、前記ＬＥＤ取付部材１２と装着筒体部２２とを一体化する。
【００６１】
そして、前記装着筒体部２２の円筒体２４を前記反射板２の装着受筒部３に装着し、かつ、反射板２の外面側に図８に示す取付部材３１を配置して、側面からホーローセットで締め付けることによって、ＬＥＤ支持ユニット１１と前記反射板２とを一体化する。
【００６２】
また、前記取付部材３１に設けた筒体部３２を、前記回動支持具７５に連結することで、歯科用照明器１を回動可能に支持するように構成している。
【００６３】
前記ＬＥＤ支持ユニット１１のＬＥＤモジュール１６に対する給電系は、ＬＥＤモジュール１６に接続した配線材を前記取付片１４、１４の内面側に設けた溝を這わせ、装着筒体部２２の穴を通して外部に導出し、電源部に接続することで構成するが、これらについては図示省略する。
【００６４】
本実施例に係る歯科用照明器１によれば、前記スリット板１９のスリット２０を通過したＬＥＤ１８からのＬＥＤ光は、前記スリット２０により光束が制限された状態で前記反射板２の反射膜２ｂでコーティングされた反射面２ａに照射され、反射されて前記スリット２０の形状に対応した形状の照射パターンを形成し、さらに、歯科用照明器１の前面フード４を透過して対象物（例えば歯科診療における診療室内、患者Ｍの口腔内等）に照射されこれらを照明する。
【００６５】
従来例のようにハロゲンラン球を使用した場合は、ハロゲンランプからの光をコールドミラーで集光するため、ほとんどの光束が熱量になり、コールドミラーは熱を裏面から逃がすための特殊な多層膜のコーティングを使用した構造が必要となるが、本実施例の場合においては、もともとＬＥＤモジュール１６におけるＬＥＤ１８の消費電力は、ハロゲンランプに比較して小さく、熱になる赤外線成分の波長が少ないため効率的に光を集光して所望の照射パターンを得ることが可能となる。
【００６６】
この場合、工場出荷時に所望の照射パターンを選択できるようにするためには、前記スリット２０の形状の異なる、或いはスリット２０の穴サイズの異なるスリット板１９のなかから、工場出荷仕様（予めユーザ希望の仕様にする）に合わせて取り付ける。
【００６７】
また、ユーザサイドで交換する場合は、ＬＥＤモジュール１６、放熱部３０等が組込まれた状態の装着筒体部２２ごと交換する。この際には、反射板２を挟むナット（図示せず）の取り外し及び締め付けによる交換となる。
【００６８】
本実施例に係る歯科用照明器１によれば、前記スリット板１９のスリット２０の形状を変化させることで照射パターンの形状を変えることができるが、例えばその形状がワイド形状であれば、オペレーティングライトを使用して歯の治療を行う際に、患者の頭（口腔）を左右上下に移動した状態でも照射野の範囲で治療を行うことが可能となる。このように患者の頭を動かしながらの治療を得意とする歯科医師もいる。
【００６９】
また、歯科治療にはデンタルミラーを使って治療を行う（歯科用語でミラーテクニックという）治療が得意のドクターもいる。
【００７０】
このような場合、照射パターンをワイドにする必要はなく必要最小限の照射パターンの形状にすることで、術者が眩しくないようにすることができ、さらに、患者に与える熱量も抑えることが可能となる。
【００７１】
次に、本実施例に係る歯科用照明器１の放熱作用について説明すると、前記ＬＥＤ取付部材１２、スリット板１９を各々熱伝導率の高いアルミニューム、銅等により形成しているので、前記ＬＥＤモジュール１６の裏面とＬＥＤ取付部材１２のＬＥＤ取付面１５、及び、スリット板１９の裏面の座ぐっていない面とＬＥＤ取付面１５が、各々密着して固定されているため、ＬＥＤモジュール１６の裏面からの熱はＬＥＤ取付面１５を経て放熱部３０に伝わり放散し、また、ＬＥＤモジュール１６の表面からの熱のうちスリット板１９のスリット２０を抜けない光の熱は、スリット板１９によって熱伝導しＬＥＤ取付面１５を経由して放熱部３０に伝わり放散する。
【００７２】
これにより、別途冷却ファン等を配置しなくても歯科用照明器１における前記ＬＥＤモジュール１６から放散される熱の放熱効果を高めることができ、この点からも前記歯科用照明器１を安価な構造とすることができる。
【００７３】
次に、本実施例に係る歯科用照明器１におけるＬＥＤモジュール１６として、ＲＧＢタイプのＬＥＤモジュールを使用した場合について説明する。
【００７４】
ＲＧＢタイプのＬＥＤモジュールは、フルカラーＬＥＤモジュールとも称され、赤色・緑色・青色を発光する３つのＬＥＤが一つのパッケージに封印されたもので、３つのＬＥＤの明るさを変えることで無限の色を表示できる。
【００７５】
例えば、２色以上の光が重なると別の色になり、明るい赤色・緑色・青色の３つの光が重なると白色になり、さらに、赤色・緑色・青色の３色を同じだけ暗くすると、中心の白は灰色に変わって行く。
【００７６】
さらに、前記ＬＥＤモジュール１６として、例えば銭形ＬＥＤ（シャープ（株）：ＧＷ６ＴＧＣＢＧ４ＦＤ）を使用することもできる。
【００７７】
これは、ＲＧＢタイプではないが、調色機能を持つ照明用ＬＥＤモジュールであり、１枚のセラミック基板上に青色のＬＥＤチップを高密度で実装し、暖色系の蛍光体と寒色系の蛍光体が縞状になるように配置し、暖色系と寒色系の２色の光を混色させることで、調光機能を実現したものである。
【００７８】
このような色温度変更可能なＬＥＤモジュール１６を使用し、歯科用照明器１を実際に使用する際にＬＥＤモジュール１６の色温度を適切に設定する（色温度の低い暖色系から色温度の高い寒色系の間で適切に設定する）ことで、前記反射板２の反射面２ａを高価な多層膜コーティングが不要な単層膜構造とすることができる。
【００７９】
また、本実施例に係る歯科用照明器１におけるＬＥＤモジュール１６として演色性の異なるものを使用する場合としては、例えばシチズン電子、ＣＬ−Ｌ２３４Ａ（演色性８５）、Ｌ−２３３（演色性９０）等のようなグレードの異なるもののなかから選定したＬＥＤモジュール１６を使用する例を挙げることができる。
【００８０】
このように、ＬＥＤモジュールのグレードを変えることで、対象物の演色性を変えることが可能となる。
【００８１】
ここに、演色性とは、太陽光と比較して物を見たときに、色の見え方を表現する用語であり、例えば、太陽光に似た色の見え方をする照明ランプを「演色性の良い（高い）ランプ」と称している。
【００８２】
尚、前記反射板２の反射面２ａに、屈折率が異なる物質、例えばチタン、シリカ等の組み合わせで、多層膜（例えば１５層）コーティングを施した構造とすることもできる。
【００８３】
この場合には、多層膜を構成する薄膜の干渉効果によってより効率よく目に見える可視光線を反射し、熱線と呼ばれる赤外線を透過させることが可能となり、これにより、熱を持たない光だけを前記反射板２の反射面２ａで反射し、対象物に照射することができ、対象物の温度上昇をより抑えることが可能となる。
【００８４】
次に、本実施例に係る歯科用照明器１の特徴的要素である青色光減衰部材について、図５、図７、図９及び図１０を参照して説明する。
【００８５】
本実施例に係る歯科用照明器１においては、前記スリット板１９における所定の照射パターンを形成するためのスリット２０の位置に、可視光波長域の光の内、青色波長域の光の透過率を減じる青色光減衰部材である青色光減衰フィルター４１を前記スリット２０の形状に対応した形状に構成して配置している。
【００８６】
前記スリット２０の形状は、患者が眩しくないように口腔領域のみに照射する照射パターン（照射視野）を形成するように、例えば横長の長方形形状を採用し、これに対応して、青色光減衰フィルター４１の形状も横長の長方形形状としている。
【００８７】
前記青色光減衰フィルター４１は、透明なガラス板又は透明な合成樹脂板等の基体４２の表面に青色波長域の光を吸収する又は青色波長域の光の透過を制限するするコーティング膜４３を施す構成としている。
【００８８】
前記コーティング膜４３の材質としては、青色波長域を吸収する化合物、例えば黄色染料、橙色染料、緑色染料などやこれら混合物を用いる例を挙げることができる。
【００８９】
また、前記コーティング膜４３としては、例えば、青色光の吸収能を有する染料であるカヤロンポリエステルイエローＡＬ染料（日本化薬（株）製）、青色光吸収剤であるカヤセットイエローＡ−Ｇ（ディスパーズイエロー５４）（日本化薬（株）製）、クロムとクロム酸化物との混合物の蒸着層等を用いる例を挙げることができる。
【００９０】
この場合、本実施例に係る歯科用照明器１においては、ＬＥＤ光の光束が広がらない位置で青色光減衰フィルター４１を配置する構成としていることから、青色光減衰フィルター４１としてはコーティング膜４３のコーティング面積が小さくて済み、安価な構成とすることができる。
【００９１】
前記コーティング膜４３に替えて、図１０に示すように、基体４２の表面に上述したような各種材料を用いて形成した青色光減衰フィルム４４を貼付した構成の青色光減衰フィルター４１Ａを採用することもできる。
【００９２】
尚、上述した青色光減衰フィルム４４としては、固体発光性色素を透明プラスチックフィルムに組み入れて作製した波長変換フィルムを用いることも可能である。
【００９３】
前記青色光減衰フィルター４１、青色光減衰フィルム４４は、図１１に示すように、例えば４００〜５００ｎｍ、好ましくは少なくとも４５５ｎｍ±２０ｎｍの範囲の青色波長域の光の透過率を減衰するフィルタリング特性を有するものとしている。
【００９４】
このように本実施例に係る歯科用照明器１によれば、前記スリット２０の位置に、可視光波長域の光の内、青色波長域の光の透過率を減じるコーティング膜４３を設けた青色光減衰部材である青色光減衰フィルター４１を配置し、又は、青色光減衰フィルム４４を貼付した構成の青色光減衰フィルター４１Ａを配置したものであるから、対象物（例えば歯科診療における診療室内、患者Ｍの口腔内等）に照射されるＬＥＤ光は、青色波長域のＬＥＤ光成分が減衰された状態で当該対象物に照射されることになり、これにより、歯科医師等の視界のチラツキ、かすみ、眼精疲労による視力低下等を防止することができる好適な照明環境を現出することができる。
【００９５】
また、歯科治療において歯牙にコンポジットレジン充填する作業を行う際に、コンポジットレジンを硬化させるための光照射器を使用する前に、歯科用照明器１から照射される４５５nm近辺の光によって、当該コンポジットレジンが硬化してしまうという不都合も解消することができる。
【００９６】
次に、本実施例に係る歯科用照明器１の特徴的要素である青色光減衰部材の他例について、図１２を参照して説明する。
【００９７】
この場合には、前記スリット２０の位置の青色光減衰フィルター４１又は４１Ａを省略するとともに、前記反射板２自体をガラス等の基体の表面に反射膜２ｂをコーティングにより製膜し、さらに、反射膜２ｂの外面に青色光減衰膜２ｃをコーティングにより製膜して、この青色光減衰膜２ｃの膜面を反射面２ａとしたものである。
【００９８】
前記反射膜２ｂは、アルミニューム（Al）が使用されるが、銀（Ag）、クロム（Cr）等の金属であってもよい。また、その上にチタン（Ti）やシリカ（SiO2）により多層薄膜を２層から４層形成した構成としてもよい。
【００９９】
この場合、多層薄膜は真空蒸着或いはイオンプレーティング等の薄膜技術によって付着させるものである。
【０１００】
前記青色光減衰膜２ｃとしては、例えば４００〜５００ｎｍ、好ましくは少なくとも４５５ｎｍ±２０ｎｍの範囲の青色波長域の光の透過率を減衰するフィルタリング特性を有するものを用いる。
【０１０１】
前記青色光減衰膜２ｃは、前記反射膜２ｂの外面に、例えば青色光吸収剤と透明性ポリマーとを含むコーティング剤を塗布することにより形成する。
【０１０２】
前記青色吸収剤としては、青色波長域を吸収する化合物、例えば黄色染料、橙色染料、緑色染料などやこれら混合物が挙げられる。
【０１０３】
また、透明性ポリマーとしては例えばポリアクリル系ポリマー、ポリカーボネート、ポリエステル、ポリスチレン、シリコーン樹脂などが挙げられる。
【０１０４】
さらに、青色光の吸収能を有する染料であるカヤロンポリエステルイエローＡＬ染料（日本化薬（株）製）、青色光吸収剤であるカヤセットイエローＡ−Ｇ（ディスパーズイエロー５４）（日本化薬（株）製）を用いたり、さらに金属系コーティング膜としてクロムとクロム酸化物との混合物の蒸着層等を用いる例を挙げることができる。
【０１０５】
このように、前記反射板２に対して、青色光減衰膜２ｃをコーティングにより製膜して、この青色光減衰膜２ｃの膜面を反射面２ａとした構成によっても、既述した場合と同様、対象物（例えば歯科診療における診療室内、患者Ｍの口腔内等）に照射されるＬＥＤ光は、青色波長域のＬＥＤ光成分が減衰された状態で当該対象物に照射されることになり、これにより、歯科医師等の視界のチラツキ、かすみ、眼精疲労による視力低下等を防止することができる好適な照明環境を現出することができる。
【０１０６】
また、歯科治療において歯牙にコンポジットレジン充填する作業を行う際に、コンポジットレジンを硬化させるための光照射器を使用する前に、歯科用照明器１から照射される４５５nm近辺の光によって、当該コンポジットレジンが硬化してしまうという不都合も解消することができる。
【０１０７】
尚、図１２に示す例の場合においても、前記青色光減衰膜２ｃをコーティング処理により形成する場合の他、この青色光減衰膜２ｃと同様な材料を用い、同様な機能を有するように形成した青色光減衰フィルムを前記反射膜２ｂに貼付した構成とすることもでき、この場合も、前記青色光減衰膜２ｃの場合と同様な作用、効果を発揮させることができる。
【０１０８】
次に、本実施例に係る歯科用照明器１の特徴的要素である青色光減衰部材の他例について、図１３を参照して説明する。
【０１０９】
前記スリット２０の位置の青色光減衰フィルター４１又は４１Ａ又は前記前記反射板２の反射膜２ｂを無くした構成とするとともに、図１３に示すように、前記前面フード４の外面に青色光減衰部材である青色光減衰膜４ａを直接コーティングして形成したものである。
【０１１０】
青色光減衰膜４ａとしては、例えば４００〜５００ｎｍ、好ましくは少なくとも４５５ｎｍ±２０ｎｍの範囲の青色波長域の光の透過率を減衰するフィルタリング特性を有するものを用いる。
【０１１１】
前記青色光減衰膜４ａは、前記前面フード４の外面に、例えば青色光吸収剤と透明性ポリマーとを含むコーティング剤を塗布することにより形成する。
【０１１２】
前記青色吸収剤としては、既述した場合と同様、青色波長域を吸収する化合物、例えば黄色染料、橙色染料、緑色染料などやこれら混合物が挙げられる。
【０１１３】
また、透明性ポリマーとしては例えばポリアクリル系ポリマー、ポリカーボネート、ポリエステル、ポリスチレン、シリコーン樹脂などが挙げられる。
【０１１４】
さらに、青色光の吸収能を有する染料であるカヤロンポリエステルイエローＡＬ染料（日本化薬（株）製）、青色光吸収剤であるカヤセットイエローＡ−Ｇ（ディスパーズイエロー５４）（日本化薬（株）製）を用いたり、さらに金属系コーティング膜としてクロムとクロム酸化物との混合物の蒸着層等を用いる例を挙げることができる。
【０１１５】
このように、前記前面フード４の外面に青色光減衰膜４ａを設けた構成によっても、既述した場合と同様、対象物（例えば歯科診療における診療室内、患者Ｍの口腔内等）に照射されるＬＥＤ光は、青色波長域のＬＥＤ光成分が減衰された状態で当該対象物に照射されることになり、これにより、歯科医師等の視界のチラツキ、かすみ、眼精疲労による視力低下等を防止することができる好適な照明環境を現出することができる。
【０１１６】
また、歯科治療において歯牙にコンポジットレジン充填する作業を行う際に、コンポジットレジンを硬化させるための光照射器を使用する前に、歯科用照明器１から照射される４５５nm近辺の光によって、当該コンポジットレジンが硬化してしまうという不都合も解消することができる。
【０１１７】
尚、図１３に示す例の場合においても、前記青色光減衰膜４ａをコーティング処理により形成する場合の他、この青色光減衰膜４ａと同様な材料を用い、同様な機能を有するように形成した青色光減衰フィルムを前記前面フード４の外面に貼付した構成とすることもでき、この場合も、前記青色光減衰膜２ｃの場合と同様な作用、効果を発揮させることができる。
【０１１８】
また、図１３に示す例の場合において、前記青色光減衰膜４ａを前記前面フード４の内面に設ける構成とすることも可能である。
【０１１９】
以上説明した本実施例に係る歯科用照明器１においては、前記スリット２０、反射板２、前面フード４に、個別的に青色光減衰部材を配置する場合について説明したが、スリット２０、反射板２の双方、前記スリット２０、前面フード４の双方、前記反射板２、前面フード４の双方に設けたり、又は、前記スリット２０、反射板２、前面フード４の三者に設ける構成としても実施可能である。
【０１２０】
次に、図１４乃至図１６を参照して、光源であるハロゲンランプ（ＴＮ２９）、ＬＥＤ（ＴＮ４６）について、照度計を用いた測定を基に、これらの光源から７０ｃｍの距離にある位置の正確な分光放射強度の値を求める手段について説明する。
【０１２１】
すなわち、光源から７０ｃｍ離れた地点の分光放射強度を測定及び演算により正確に求めることを目的とする。
【０１２２】
図１４は、ＴＮ２９（ハロゲンランプ）に関して、照度計が８８６０ｌｘ、７１３０ｌｘ、３４３０ｌｘを示した時の各波長（４００〜５１５ｎｍ）ごとの分光放射照度（μＷ／ｃｍ２・ｎｍ）の測定データ、及び、ＴＮ４６（ＬＥＤ）に関して照度計が８９４０ｌｘ、４７８０ｌｘ、３４４０ｌｘを示した時の各波長（４００〜５１５ｎｍ）ごとの分光放射照度（μＷ／ｃｍ２・ｎｍ）の測定データを示している。
【０１２３】
また、ＴＮ２９（ハロゲンランプ）に関して、照度計が８８６０ｌｘ、７１３０ｌｘ、３４３０ｌｘを示したときの単位平方メートル当たりの各分光放射照度（Ｗ／ｍ２）を求めた。この分光放射照度（Ｗ／ｍ２）の測定値は８８６０ｌｘで３．１４（Ｗ／ｍ２）、７１３０ｌｘで２．４２（Ｗ／ｍ２）、３４３０ｌｘで０．９３（Ｗ／ｍ２）であった。
【０１２４】
同様に、ＴＮ４６（ＬＥＤ）に関して、照度計が８８６０ｌｘ、７１３０ｌｘ、３４３０ｌｘを示したときの単位平方メートル当たりの各分光放射照度（Ｗ／ｍ２）を求めた。この分光放射照度（Ｗ／ｍ２）の測定値は、８９４０ｌｘで４．３３（Ｗ／ｍ２）、４７８０ｌｘで２．３４（Ｗ／ｍ２）、３４４０ｌｘで１．７０（Ｗ／ｍ２）であった。
【０１２５】
次に、ＴＮ２９（ハロゲンランプ）、ＴＮ４６（ＬＥＤ）について、上記各照度（ｌｘ）、各分光放射照度（Ｗ／ｍ２）の値を用い、図１５に示すように、横軸の値をｘ（照度）とし、縦軸の値をｙ（分光放射照度）として一次関数のグラフを作成する。
【０１２６】
図１５に示す一次関数のグラフは、ｙ＝ａｘ＋ｂ（ａは傾き、ｂは切片）で表すことができ、この一次関数の式から、光源から７０ｃｍ離れた地点の正確なｙ（分光放射照度）を求めることができる。
【０１２７】
この場合、前記傾きａ、切片ｂの値は、図１５に示すグラフから容易に求めることができる。
【０１２８】
すなわち、図１５、図１６に示すように、ＴＮ２９（ハロゲンランプ）については、ｘ＝８０００ｌｘのとき分光放射照度の値は２．７８（Ｗ／ｍ２）、ＴＮ４６（ＬＥＤ）についてはｘ＝８０００ｌｘのとき分光放射照度の値は３．８８（Ｗ／ｍ２）と求めることができる。
【０１２９】
逆に、分光放射照度の値が３（Ｗ／ｍ２）のときの正確な照度は、図１６に示すように、ｘ＝（ｙ−ｂ）／ａの演算により、ＴＮ２９（ハロゲンランプ）については、８５２４（ｌｘ）、ＴＮ４６（ＬＥＤ）については６１６０（ｌｘ）と求めることができる。
【産業上の利用可能性】
【０１３０】
本発明に係る歯科用照明器は、上述したような歯科診療の分野の照明手段として適用するのみならず、医療分野全般における照明灯、手術灯等として広範に適用可能である。
【符号の説明】
【０１３１】
１    歯科用照明器
２    反射板
２ａ  反射面
２ｂ  反射膜
２ｃ  青色光減衰膜
３    装着受筒部
４    前面フード
４ａ  青色光減衰膜
７    光センサ
８    取っ手
９    止めネジ
１１    ＬＥＤ支持ユニット
１２    ＬＥＤ取付部材
１３    取付基部
１３ａ  ビス孔
１３ｂ  ビス孔
１４    取付片
１４ａ  取付孔
１５    ＬＥＤ取付面
１６    ＬＥＤモジュール
１７    基板
１７ａ  凹部
１８    ＬＥＤ
１９    スリット板
１９ａ  ビス挿通孔
１９ｂ  孔
２０    スリット
２１    凹部
２２    装着筒体部
２３    角筒体
２４    円筒体
２５    ビス
２６    ビス
２７    ビス
３０    放熱部
３１    取付部材
３２    筒体部
４１    青色光減衰フィルター
４１Ａ  青色光減衰フィルター
４２    基体
４３    コーティング膜
４４    青色光減衰フィルム
５１    歯科用ユニット
５２    チェア
５３    スピットン部
５４    歯科用照明器支持部
５５    取り付け具
５６    画像モニタ
６１    ユニットベース
６２    チェア台
６３    シート
６４    背板
６５    枕
６６    フットレスト
７０    ポール
７５    回動支持具
８１    関節部
Ｍ    患者
【図１】
2015035372.tif 000003
【図２】
2015035372.tif 000004
【図３】
2015035372.tif 000005
【図４】
2015035372.tif 000006
【図５】
2015035372.tif 000007
【図６】
2015035372.tif 000008
【図７】
2015035372.tif 000009
【図８】
2015035372.tif 000010
【図９】
2015035372.tif 000011
【図１０】
2015035372.tif 000012
【図１１】
2015035372.tif 000013
【図１２】
2015035372.tif 000014
【図１３】
2015035372.tif 000015
【図１４】
2015035372.tif 000016
【図１５】
2015035372.tif 000017
【図１６】
2015035372.tif 000018
【図１７】
2015035372.tif 000019
【図１８】
2015035372.tif 000020